(57)【特許請求の範囲】
【請求項１】
少なくとも１つの放送プログラムを多重したディジタル放送波から所望の放送プログラムを検出し、映像識別情報（Video Stream PID）と音声の識別情報（Audio Stream PID）と時刻基準情報の識別情報（PCR PID）を求め、映像と音声を再生する選局方法であって、
所望の放送プログラムのチャンネル番号、あるいはプログラム番号、あるいは放送プログラムを識別する情報を用いて、受信されたディジタル放送波に含まれる映像識別情報（Video Stream PID）と音声の識別情報（Audio Stream PID）と時刻基準情報の識別情報（PCR PID）とを求めるためのＡ／Ｖ識別情報予測過程と、
前記Ａ／Ｖ識別情報予測過程により求められた映像識別情報（Video Stream PID）と音声の識別情報（Audio Stream PID）と時刻基準情報の識別情報（PCR PID）とを仮決定の識別情報として、映像と音声の再生準備を先行して行うＡ／Ｖ仮再生過程とを、持ち、
前記Ａ／Ｖ識別情報予測過程および前記Ａ／Ｖ仮再生過程の動作と、ディジタル放送波に含まれる放送プログラムの情報を取得する過程の動作とを平行して行い、
前記Ａ／Ｖ識別情報予測過程により、求められた映像識別情報（Video Stream PID）と音声の識別情報（Audio Stream PID）と時刻基準情報の識別情報（PCR PID）と、ディジタル放送波に含まれる放送プログラムの情報を取得する過程により得られた映像識別情報（Video Stream PID）と音声の識別情報（Audio Stream PID）と時刻基準情報の識別情報（PCR PID）とを比較して、比較した結果、双方の識別情報が一致した場合、前記Ａ／Ｖ仮再生過程により行われた再生準備をもとに映像、音声を直ちに出力し、比較した結果、双方の識別情報が一致しなかった場合、前記ディジタル放送に含まれる放送プログラムの情報を取得する過程により得られた映像識別情報（Video Stream PID）と音声の識別情報（Audio Stream PID）と時刻基準情報の識別情報（PCR PID）をもとに、映像と音声の再生準備を行い映像、音声を出力することを特徴とするディジタル放送受信機の選局方法。
【発明の詳細な説明】
【０００１】
【発明の属する技術分野】
本発明は、ディジタル放送受信機の選局方法に係り、特に、キャリアおよびトランスポンダを選択し、放送電波から映像、音声の識別情報を求めて、映像、音声を出力する選局方法に関するものである。
【０００２】
【従来の技術】
ディジタル放送では、１つまたは複数の放送プログラムの内容をＭＰＥＧ２エンコーダによって圧縮し、放送プログラムの映像と音声は、それぞれＰＩＤとよばれる任意の識別情報によって番号付けされて、ＰＩＤ別にトランスポートパケット（ＴＰ）とよばれる１パケット１８８バイト構成にパケット化され、時分割で送り出されている。このＴＰの集合を、トランスポートストリーム（ＴＳ）という。
【０００３】
所望の放送プログラムを視聴するためには、１つまたは複数の放送プログラムが多重されたトランスポートパケット（ＴＰ）から、視聴すべき映像、音声のトランスポートパケットや、放送プログラムを構成する映像や音声の識別情報であるＰＩＤの関連性を示す情報を収めているＰＳＩと呼ばれる、プログラム仕様情報のトランスポートパケット（ＴＰ）を抽出する必要がある。
【０００４】
現在送られている放送プログラムを示す情報をＰＡＴ（Ｐｒｏｇｒａｍ  Ａｓｓｏｃｉａｔｉｏｎ  Ｔａｂｌｅ）といい、放送プログラムごとの映像や音声の識別情報であるＰＩＤの関連性を示す情報をＰＭＴ（Ｐｒｏｇｒａｍ  ＭａｐＴａｂｌｅ）という。
【０００５】
ＰＡＴの内部には、現在送られている放送プログラムをすべて収めており、１放送プログラムは、Ｐｒｏｇｒａｍ  Ｎｕｍｂｅｒという番号で識別されており、その放送プログラムの詳細情報を収めているＰＭＴと１対１で対応している。
【０００６】
ＰＭＴの内部には、対応する放送プログラムに関連する映像の識別情報（Ｖｉｄｅｏ  Ｓｔｒｅａｍ  ＰＩＤ）、音声の識別情報（Ａｕｄｉｏ  Ｓｔｒｅａｍ  ＰＩＤ）、時刻基準情報の識別情報（ＰＣＲ  ＰＩＤ）などの、ＥＳ  ＰＩＤ（Ｅｌｅｍｅｎｔａｒｙ  ＰＩＤ）を収めている。
【０００７】
したがって、放送プログラムを視聴するには、まず、ＰＳＩ情報であるＰＡＴを取得し、視聴したい放送プログラムに対応するＰＭＴを受信し、映像の識別情報（Ｖｉｄｅｏ  ｓｔｒｅａｍ  ＰＩＤ）、音声の識別情報（Ａｕｄｉｏ  Ｓｔｒｅａｍ  ＰＩＤ）、映像や音声を再生するために基準時間となる時間情報を収めているＰＣＲ（  Ｐｒｏｇｒａｍ  Ｃｌｏｃｋ  Ｒｅｆｅｒｅｎｃｅ  ）の識別情報（ＰＣＲ  ＰＩＤ）を取得することになる。
【０００８】
また、ＰＳＩより求められた放送プログラムの映像と音声の再生を始めた時点では、映像と音声の出力は同時に行われていないため、映像と音声の同期は取れていない。
【０００９】
そこで、映像と音声の同期をとるために、基準時間となるＰＣＲの値と、受信機が持っているＰＬＬクロックの発振速度を同期させてから、映像ストリームと音声ストリームがそれぞれ持っている再生時刻ＰＴＳ（Ｐｒｅｓｅｎｔａｔｉｏｎ  Ｔｉｍｅ  Ｓｔｕｍｐ）を受信機が持っているＰＬＬクロックによりカウントアップした値に同期を取っていく。
【００１０】
さらに、近年のディジタル放送では、放送プログラムごとに異なる映像フォーマットで伝送してくる場合があり、この場合には、ディジタル放送受信機側で映像フォーマットの検出を行い、受信機のビデオ表示回路の設定を受信された映像フォーマットにあわせる必要がある。なお、映像フォーマットを取得するには、一定期間ごとに映像ストリームに付加されてくるＳｅｑｕｅｎｃｅ  Ｈｅａｄｅｒの内容を参照しなければならない。
【００１１】
ところで、ディジタル放送の受信機における選局時間は、主にチューナ部の設定から同調するまでの時間、ＰＡＴ／ＰＭＴの受信待ち時間、映像のフォーマット情報検出時間、ならびに、Ａ／Ｖ同期（リップシンク処理）に要する時間などで占められる。
【００１２】
これらの選局処理の時間の要素のうち、チューナ部の設定から同調するまでの時間を除いた時間は、トランスポートストリーム（ＴＳ）からそれぞれの処理に必要な情報を受信するため、必要な情報の再送周期の時間によるところが大きい。
【００１３】
つまり、選局処理に必要な時間（選局時間）は、
選局時間＝チューナ部の同調時間＋ＰＡＴ再送周期＋ＰＭＴ再送周期＋Ｓｅｑｕｅｎｃｅ  Ｈｅａｄｅｒ再送周期
上式で与えられが、上式に示されるように、必要な情報の再送周期の時間によるところが大きい。
【００１４】
各情報の再送周期の１例として米国のＡＴＳＣ規格（Ｕｎｉｔｅｄ  Ｓｔａｔｅｓ  Ａｄｖａｎｃｅｄ  Ｔｅｌｅｖｉｓｉｏｎ  Ｃｏｍｍｉｔｔｅｅ）では、次のように各情報の再送時間が規定されており、
ＰＡＴの再送周期            ＝１００ｍｓ
ＰＭＴの再送周期          ＝４００ｍｓ
Ｓｅｑｕｅｎｃｅ  Ｈｅａｄｅｒ送信周期    ＝５００ｍｓ
この放送規格に適応する受信機ならば、ＰＳＩ受信処理から映像、音声が出力されるまで約１秒間かかることが容易に推測できる。
【００１５】
【発明が解決しようとする課題】
しかしながら、従来の選局方法によれば、映像の識別情報（Ｖｉｄｅｏ  Ｓｔｒｅａｍ  ＰＩＤ）と音声の識別情報（Ａｕｄｉｏ  Ｓｔｒｅａｍ  ＰＩＤ）を求めるまでには、ＰＡＴの受信を待ってからＰＭＴの受信を待ち、ＰＭＴの受信が完了してから、映像と音声の出力処理が始まるため、ＰＡＴとＰＭＴの取得にかかる時間は、選局時間全体に占める割合が大きい。
【００１６】
また、従来の選局方法によれば、必要な情報が取得できるまで待ちながら順次処理を行っているため、選局処理の効率を上げることができなかった。
【００１７】
本発明は、上記の点に鑑みなされたもので、その目的とするところは、選局処理の高速化を図り、ユーザー操作の応答性を高める選局方法を提供することにある。
【００１８】
【課題を解決するための手段】
上記目的を達成するために、本発明によるディジタル放送受信機における選局方法は、所望の放送プログラムのチャンネル番号、あるいはプログラム番号、あるいは放送プログラムを識別する情報を用いて、受信されたディジタル放送波に含まれる映像識別情報（Ｖｉｄｅｏ  Ｓｔｒｅａｍ  ＰＩＤ）と音声の識別情報（Ａｕｄｉｏ  Ｓｔｒｅａｍ  ＰＩＤ）と時刻基準情報の識別情報（ＰＣＲ  ＰＩＤ）を求めるためのＡ／Ｖ識別情報予測過程を具備する。また、上記Ａ／Ｖ識別情報予測過程で求められた映像識別情報（Ｖｉｄｅｏ  Ｓｔｒｅａｍ  ＰＩＤ）と音声の識別情報（Ａｕｄｉｏ  Ｓｔｒｅａｍ  ＰＩＤ）と時刻基準情報の識別情報（ＰＣＲ  ＰＩＤ）を仮決定の識別情報として、映像と音声の再生準備を、放送プログラムを示す情報（ＰＡＴ）の受信処理や放送プログラムごとの映像や音声の識別情報であるＰＩＤの関連性を示す情報（ＰＭＴ）の受信処理と平行して行い、映像フォーマット検出、ＰＣＲ再生処理、Ａ／Ｖ同期処理を先行して行う、Ａ／Ｖ仮再生過程を具備する。そして、上記Ａ／Ｖ識別情報予測過程で求められた識別情報と、ＰＡＴとＰＭＴから求められた識別情報とを、比較するＡ／Ｖ識別情報比較過程を具備することにより、Ａ／Ｖ識別情報予測過程で予測された識別情報が正しいことを確認した上で、既にＡ／Ｖ仮再生過程より準備の整った映像、音声を直ちに出力する。
【００１９】
【発明の実施の形態】
以下、本発明の実施の形態を、図面を用いて説明する。図１は、本発明による選局方法の１実施形態が適用される、ディジタル放送受信機の構成を示すブロック図である。
【００２０】
図１において、１０は受信アンテナ、１１はリモコン受光部、１２はビデオ出力端子、１３はオーディオ出力端子、１００はチューナ部、１０１は、チューナ部１００から入力された信号をディジタルの信号（ＴＳ）へ復調し、誤り訂正を行うディジタル復調・誤り訂正部、１０２はユーザーからの選局指示を受けつける選局指示部、１０３は、ディジタル信号を映像データや音声データやＰＳＩデータに分離するデマルチプレクサ、１０４は映像データを映像信号へデコードするビデオデコーダ、１０５は音声データを音声信号へデコードするオーディオデコーダ、１０６はＰＳＩ情報を展開解析するＰＳＩ解析部、１０７は、選局指示部１０２やＰＳＩ解析部１０７からの情報によりデマルチプレクサ１０３を操作し、出力する映像ＰＩＤや音声ＰＩＤを切り替える選局制御部、１０８は映像信号の出力を制御するビデオ表示制御部、１０９は音声信号の出力を制御するオーディオ出力制御部である。
【００２１】
図２は、本実施形態による選局処理の流れを示すフローチャートであり、この処理フローに沿って、本実施形態の選局方法を説明する。
【００２２】
まず、選局指示部１０２からの指示により、選局処理が開始される（ステップＳ２００）。
【００２３】
次に、ステップＳ２０１のＡ／Ｖ出力停止過程において、選局動作により映像や音声の情報が途中で変更され、映像や音声が乱れる可能性があるため、出力端子１２、１３からの映像信号や音声信号の出力を停止する。
【００２４】
次に、ステップＳ２０２のチューナ設定、同調過程（チューナ設定、キャリア検出過程）にて、選局指示部１０２により指定されたチャンネル番号をもとに、チューニング設定する周波数を求めて、チューナ部１００へ周波数を設定し、チューナ部１００が放送電波に同調したことを検出するまで待つ。
【００２５】
チューナ部１００が同調することにより、受信した信号がディジタル復調・誤り訂正部１０１によってディジタルデータへ復号され、ディジタル信号がデマルチプレクサ１０３へ流れ始める。
【００２６】
これにより、ステップＳ２０３のＰＡＴ受信過程において、ＰＡＴの受信処理の指示が行われ、次に、ステップＳ２０４のＰＡＴ解析過程において、ＰＳＩ解析部１０６により、受け取ったＰＳＩ情報を展開解析して、ＰＭＴのＰＩＤが求められる。
【００２７】
ステップＳ２０４に続くステップＳ２０５のＰＭＴ受信過程では、選局制御部１０７からＰＳＩ解析部１０６へＰＭＴの受信処理の指示が行われ、ＰＳＩ解析部１０６にて受け取られたＰＭＴは、次のステップＳ２０６のＰＭＴ解析過程Ｓ２０６において、展開解析されて、Ａｕｄｉｏ  Ｓｔｒｅａｍ  のＰＩＤと、Ｖｉｄｅｏ  Ｓｔｒｅａｍ  の  ＰＩＤと、時刻基準情報の識別情報（ＰＣＲ  ＰＩＤ）とが求められる。
【００２８】
一方、上記したＰＡＴ受信過程（ステップＳ２０３）からＰＭＴ解析過程（ステップＳ２０６）までの処理と平行して、次のＡ／Ｖ識別情報予測過程（ステップＳ２０７）からＡ／Ｖ仮再生過程（ステップＳ２０８）までの処理が同時に行われる。
【００２９】
すなわち、ステップＳ２０７のＡ／Ｖ識別情報予測過程において、選局指示部１０２より指定されたチャンネル番号をもとに、Ａｕｄｉｏ  Ｓｔｒｅａｍ  ＰＩＤ、Ｖｉｄｅｓ  Ｓｔｒｅａｍ  ＰＩＤ、ＰＣＲ  ＰＩＤの予測処理が行われ、ＥＳ  ＰＩＤ（Ｅｌｅｎｅｎｔａｒｙ  ＰＩＤ）が求められる。
【００３０】
ステップＳ２０７に続くステップＳ２０８のＡ／Ｖ仮再生過程では、求められたＥＳ  ＰＩＤ（Ｅｌｅｍｅｎｔａｒｙ  ＰＩＤ）は、デマルチプレクサ１０３へ登録され、デマルチプレクサ１０３によってＰＩＤフィルタリングを行ったビデオやオーディオのビットストリームデータは、それぞれビデオデコーダ１０４やオーディオデコーダ１０５へ流れ始める。
【００３１】
ビデオデコーダ１０４やオーディオデコーダ１０５へビットストリームデータが流れ始めることにより、ビデオフォーマット情報の取得や、ビデオ表示系の設定値調整や、Ａ／Ｖ同期処理が行われる。ただし、この時点では、ビデオ表示制御部１０８、オーディオ出力制御部１０９から出力端子１２、１３への出力は行わない。
【００３２】
上述したＡ／Ｖ仮再生過程（Ｓ２０８）、ＰＭＴ解析過程（Ｓ２０６）の処理が終わった時点で、ステップＳ２０９のＡ／Ｖ識別情報比較過程において、ＰＭＴ解析過程（ステップＳ２０６）により求められたＥＳ  ＰＩＤ（Ｅｌｅｍｅｎｔａｒｙ  ＰＩＤ）と、Ａ／Ｖ識別情報予測過程（ステップＳ２０７）により求められたＥＳ  ＰＩＤ（Ｅｌｅｍｅｎｔａｒｙ  ＰＩＤ）との比較を行い、Ａ／Ｖ識別情報予測過程（ステップＳ２０７）の結果が正しいかどうかが判断される。
【００３３】
Ａ／Ｖ識別情報比較過程（ステップＳ２０９）によるＥＳ  ＰＩＤ（Ｅｌｅｍｅｎｔａｒｙ  ＰＩＤ）の比較の結果、一致した場合、Ａ／Ｖ識別情報予測過程（ステップＳ２０７）の結果は、正しく予測できたと判断できる。このように、Ａ／Ｖ識別情報比較過程（ステップＳ２０９）によるＥＳ  ＰＩＤ（Ｅｌｅｍｅｎｔａｒｙ  ＰＩＤ）の比較の結果、一致した場合には、先のＡ／Ｖ仮再生過程（ステップＳ２０８）にてあらかじめ映像と音声が出力できる準備が整っているので、ステップＳ２１１のＡ／Ｖ出力開始過程へ直ちに移行して、映像出力端子１２へ映像信号を、音声出力端子１３へ音声信号を、それぞれ直ちに出力する。
【００３４】
もし、Ａ／Ｖ識別情報比較過程（ステップＳ２０９）によるＥＳ  ＰＩＤ（Ｅｌｅｍｅｎｔａｒｙ  ＰＩＤ）の比較の結果、一致しなかった場合には、Ａ／Ｖ識別情報予測過程（ステップＳ２０７）の結果は正しく予測できなかったと判断し、ステップＳ２１０のＡ／Ｖ再生準備過程へ移る。Ａ／Ｖ再生準備過程（ステップＳ２１０）においては、ＰＭＴ解析過程（ステップＳ２０６）により求められたＥＳ  ＰＩＤ（Ｅｌｅｍｅｎｔａｒｙ  ＰＩＤ）をデマルチプレクサ１０３へ登録し、デマルチプレクサ１０３によってＰＩＤフィルタリングを行ったビデオやオーディオのビットストリームデータは、ビデオデコーダ１０４とオーディオデコーダ１０５へ流れ始めるので、ビデオフォーマット情報の取得や、ビデオ表示系の設定値調整や、Ａ／Ｖ同期処理が行われる。そして、Ａ／Ｖ再生準備過程（ステップＳ２１０）の処理が完了するのを待って、ステップＳ２１１のＡ／Ｖ  出力開始過程にて、映像出力端子１２へ映像信号を、音声出力端子１３へ音声信号を、それぞれ出力する。
【００３５】
こうして、ステップＳ２１２にて選局処理が完了する。
【００３６】
次に、図２のＡ／Ｖ識別情報予測過程（ステップＳ２０７）で行われる予測方法の１例を説明する。
【００３７】
ＡＴＳＣ  ＤＩＧＩＴＡＬ  ＴＥＬＥＶＩＳＩＯＮ  ＳＴＡＮＤＡＲＤ  Ａ／５３  「５．３  Ｔｈｅ  ｐｒｏｇｒａｍ  ｐａｒａｄｉｇｍ」で定義された範例に基づき、選局時に指定されたチャンネル番号により映像、音声のＰＩＤを求める。
【００３８】
ＡＴＳＣ  ＤＩＧＩＴＡＬ  ＴＥＬＥＶＩＳＩＯＮ  ＳＴＡＮＤＡＲＤ  Ａ／５３  「５．３  Ｔｈｅ  ｐｒｏｇｒａｍ  ｐａｒａｄｉｇｍ」によれば、ＰＭＴ  ＰＩＤ、ＶＩＤＥＯ  ＰＩＤ、ＡＵＤＩＯ  ＰＩＤ、ＰＣＲ  ＰＩＤについて、次のような範例がある。
【００３９】
・  まず、ｂａｓｅ  ＰＩＤ  ＝ｐｒｏｇｒａｍ  ｎｕｍｂｅｒ≪４とする
・  ＰＭＴ  ＰＩＤ    ＝  ｂａｓｅ  ＰＩＤ  ＋  ０×００００
・  ＶＩＤＥＯ  ＰＩＤ  ＝  ｂａｓｅ  ＰＩＤ  ＋  ０×０００１
・  ＰＣＲ  ＰＩＤ    ＝  ｂａｓｅ  ＰＩＤ  ＋  ０×０００１
・  ＡＵＤＩＯ  ＰＩＤ  ＝  ｂａｓｅ  ＰＩＤ  ＋  ０×０００４
この範例により、ＡＴＳＣに準拠した放送信号であれば、ＰＡＴ／ＰＭＴを取得せずに、Ｐｒｏｇｒａｍ  Ｎｕｍｂｅｒを求めることにより各種ＰＩＤが予測できる。
【００４０】
この予測方法によれば、米国地上波放送（ＤＴＶ）の放送プログラムを識別するチャンネル番号を″３５．０３″とした場合、ＤＴＶでは、″３５″は、放送電波が搬送されるＲＦ周波数を識別するためのチャンネル番号であり、チューナ部の設定に使われる。
【００４１】
″０３″は、″Ｐｒｏｇｒａｍ  Ｎｕｍｂｅｒ″であり、同一のＲＦ周波数帯域内に搬送される放送プログラムを識別する番号として使われる。Ｐｒｏｇｒａｍ  Ｎｕｍｂｅｒである″０３″を基に、ＡＴＳＣ規格の範囲により各種識別情報は、次のように予測できる。
【００４２】
・  ＰＭＴ  ＰＩＤ      ＝  ０×００３０
・  ＶＩＤＥＯ  ＰＩＤ    ＝  ０×００３１
・  ＰＣＲ  ＰＩＤ      ＝  ０×００３１
・  ＡＵＤＩＯ  ＰＩＤ    ＝  ０×００３４
なお、この予測方法は、本発明を米国地上波情報（ＤＴＶ）に適用した場合の具体例として示したが、予測方法はこの例に限定するものではなく、本発明の精神を逸脱しない範囲内で、本発明を適用するディジタル放送の規格にあわせて予測方法を変更すべきである。
【００４３】
図３は、前述した実施形態の選局方法を用いない、従来の一般的な選局方法を示したフローチャートである。図３のステップＳ３０１〜Ｓ３０６は図２のステップＳ２０１〜Ｓ２０６と同様であり、図３のステップＳ３０７は図２のステップＳ２１０と同様であり、図３のステップＳ３０８、Ｓ３０９は図２のステップＳ２１１、Ｓ２１２と同様である。つまり、図３に示した従来の一般的な選局方法では、図２に示したステップＳ２０７、Ｓ２０８、Ｓ２０９の処理がないことが、本発明の前記実施形態の選局方法と相違する。
【００４４】
図４は、従来方法による選局時間と、本発明の１実施形態の選局方法による選局時間との、比較を示したタイムチャートである。
【００４５】
図４における４００〜４０４は、従来の選局方法による経過時間を示したものであり、５００〜５０６は、本発明の１実施形態の選局方法による経過時間を示したものである。
【００４６】
この図４からわかるように、選局処理の経過は３００〜３０４と４００〜４０６ともにほぼ同じステップ数を有しているが、本発明の選局方法では、５０３の予測過程によって、表示系、音声系の出力準備を先行させることができるため、従来の選局方法の４００〜４０２までの過程に５０５の過程を加えた時間で、選局処理を終えることが可能となる。
【００４７】
【発明の効果】
以上のように本発明によれば、ディジタル放送受信機において、より早い時間で効率よく選局処理を行うことができ、ユーザー操作の応答性を高めることが可能となる。
【図面の簡単な説明】
【図１】本発明の１実施形態による選局方法が適用されるディジタル放送受信機の構成を示すブロック図である。
【図２】本発明の１実施形態による選局処理の流れを示すフローチャートである。
【図３】従来の一般的な選局処理の流れを示すフローチャートである。
【図４】従来の選局処理の時間と、本発明の１実施形態による選局処理の選局時間との、比較を示すタイムチャートである。
【符号の説明】
１０  受信アンテナ
１１  リモコン受光部
１２  ビデオ出力端子
１３  オーディオ出力端子
１００  チューナ部
１０１  ディジタル復調・誤り訂正部
１０２  選局指示部
１０３  デマルチプレクサ
１０４  ビデオデコーダ
１０５  オーディオデコーダ
１０６  ＰＳＩ解析部
１０７  選局制御部
１０８  ビデオ表示制御部
１０９  オーディオ出力制御部
Ｓ２００  選局処理開始
Ｓ２０１  Ａ／Ｖ出力停止過程
Ｓ２０２  チューナ設定、同調過程
Ｓ２０３  ＰＡＴ受信過程
Ｓ２０４  ＰＡＴ解析過程
Ｓ２０５  ＰＭＴ受信過程
Ｓ２０６  ＰＭＴ解析過程
Ｓ２０７  Ａ／Ｖ識別情報予測過程
Ｓ２０８  Ａ／Ｖ仮再生過程
Ｓ２０９  Ａ／Ｖ識別情報比較過程
Ｓ２１０  Ａ／Ｖ再生準備過程
Ｓ２１１  Ａ／Ｖ出力開始過程
Ｓ２１２  選局処理完了
Ｓ３００  選局処理開始
Ｓ３０１  Ａ／Ｖ出力停止過程
Ｓ３０２  チューナ設定、同調過程
Ｓ３０３  ＰＡＴ受信過程
Ｓ３０４  ＰＡＴ解析過程
Ｓ３０５  ＰＭＴ受信過程
Ｓ３０６  ＰＭＴ解析過程
Ｓ３０７  Ａ／Ｖ再生準備過程
Ｓ３０８  Ａ／Ｖ出力開始過程
Ｓ３０９  選局処理完了
４００  選局処理開始
４０１  ＰＡＴ受信過程
４０２  ＰＭＴ受信過程
４０３  Ａ／Ｖ再生準備過程
４０４  選局処理完了
５００  選局処理開始
５０１  ＰＡＴ受信過程
５０２  ＰＭＴ受信過程
５０３  Ａ／Ｖ識別情報予測過程
５０４  Ａ／Ｖ仮再生過程
５０５  Ａ／Ｖ識別情報比較過程
５０６  選局処理完了
【図１】
0003549461.tif 000002
【図２】
0003549461.tif 000003
【図３】
0003549461.tif 000004
【図４】
0003549461.tif 000005